(57)【特許請求の範囲】
【請求項１】
熱源を有する定着ローラと、定着ローラに押圧される加圧ローラとを有し、加圧ローラの加圧力が複数種類に切り換えられ、定着ローラの表面温度を検知する温度検知部材を有する定着装置において、
定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、
転写紙の連続通紙中に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とする定着装置。
【請求項２】
熱源を有する定着ローラと、定着ローラに押圧される加圧ローラとを有し、加圧ローラの加圧力が複数種類に切り換えられ、定着ローラの表面温度を検知する温度検知部材を有する定着装置において、
定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、
第１枚目の転写紙が定着装置を通過する間に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とする定着装置。
【請求項３】
熱源を有する定着ローラと、定着ローラに押圧される加圧ローラとを有し、加圧ローラの加圧力が複数種類に切り換えられ、定着ローラの表面温度を検知する温度検知部材を有する定着装置において、
定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、
定着ローラの温度が安定した状態で、前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とする定着装置。
【請求項４】
熱源のオフは非強制的に行われることを特徴とする請求項１ないし３のいずれかに記載の定着装置。
【発明の詳細な説明】
【０００１】
【発明の属する技術分野】
この発明は、定着ローラと、加圧ローラとを具えた定着装置に関するものである。
【０００２】
【従来の技術】
従来この種の定着装置の典型的なものとしては、熱源を有する定着ローラと、定着ローラに押圧される加圧ローラとを有し、加圧ローラの加圧力が複数種類に切り換えられ、定着ローラの表面温度を検知する温度検知部材を有するものをあげることができる。
【０００３】
そしてこのようなものにおいては、転写紙に与える熱量が多すぎるとホットオフセットが発生し、反対に少なすぎるとコールドオフセットや定着性の低下を招くので、最適な量としなければならない。ところで転写紙を加圧する定着ローラと加圧ローラとのニップ部の幅の相違及び転写紙の種類の相違によって、前記の最適な熱量が相違することになる。
【０００４】
【発明が解決しようとする課題】
そこでこのようなことに対応するものとして、特開平2-148077号公報に開示されたようなものがある。しかしながらこれは転写紙の紙厚の相違に対応して加圧ローラの加圧力を調節しようというものであって、定着ローラと加圧ローラとのニップ部の幅の相違に対しては対応することができないという問題がある。
【０００５】
そこでこの発明の目的は、前記のような従来の定着装置のもつ問題を解消し、定着ローラと加圧ローラとのニップ部の幅の相違及び転写紙の種類の相違に的確に対応して、転写紙に与える熱量を最適な量とすることができ、定着品質を向上することのできる定着装置を提供するにある。
【０００６】
【課題を解決するための手段】
この発明は、前記のような目的を達成するために、熱源を有する定着ローラと、定着ローラに押圧される加圧ローラとを有し、加圧ローラの加圧力が複数種類に切り換えられ、定着ローラの表面温度を検知する温度検知部材を有する定着装置において、請求項１に記載の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、転写紙の連続通紙中に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とするものである。
【０００７】
同じく請求項２の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、第１枚目の転写紙が定着装置を通過する間に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とするものである。
【０００８】
同じく請求項３の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、定着ローラの温度が安定した状態で、前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたことを特徴とするものである。
【０００９】
同じく請求項４に記載の発明は、請求項１ないし３のいずれかに記載の発明において、熱源のオフは非強制的に行われることを特徴とするものである。
【００１０】
【発明の実施の形態】
図１にはこの発明の実施形態が設けられている複写機の画像形成装置が示されており、第１帯電器１によって均一に帯電された感光体２上に、図示しない光学系によって第１画像露光３が施されて、ネガ−ポジ潜像が形成され、第１現像器４によって第１画像が感光体２上に、接触２成分現像により黒トナーが現像される。
【００１１】
つづいて第２帯電器13によって黒トナー画像部、非画像部を含めて感光体２上の再帯電が行われ、図示しない光学系によって第２画像露光６が施されて、再びネガ−ポジ潜像が形成され、第２現像器５によって非接触２成分現像により、第１現像とは色調の異なるトナーがネガ−ポジ現像され赤トナーが現像される。
【００１２】
黒赤の２色画像は、バイアスローラ７を通して電圧印加手段８により、電圧を印加された転写ベルト９によって転写紙に転写されて搬送される。なお第２現像器５は現像時だけ、感光体２と微小ギャップを保持するようにソレノイド11とばね12によって、感光体２に対して近接位置と離間位置との間を移動するようになっている。
【００１３】
２色現像における第２帯電器13による再帯電の条件は、黒トナー現像領域への赤トナーの混色防止現像の防止、赤現像器すなわち第２現像器５への黒トナーの逆現像の防止が行われるように設定されることである。そのため前記のものにおいては、第１帯電電位が−850ｖ、第１露光電位が−100ｖ、第１現像バイアスが−550ｖで黒トナー画像を形成する。そして第２帯電電位は、前記の条件を満足 させるために実験によって求められ、黒トナー画像部再帯電電位が−800〜−900ｖを達成するように、第２帯電グリッド電位は−900ｖで施され、第２露光電位 が−100ｖ、第２現像バイアスが−750ｖで、第２現像器５によって赤トナー画像を形成する。
【００１４】
前記のような画像形成装置において、図示されない操作部によって、黒色又は赤色もしくは黒、赤同時２色のそれぞれのモードで選択されると、それに対応して黒現像器又は赤現像器を作動させ、転写紙10に黒トナー、赤トナーを転写し、黒トナー又は赤トナーを担持した転写紙10はこの発明の定着装置に搬送され、ここにおいて画像が定着される。
【００１５】
図２にはこの発明の定着装置の実施形態が示されており、定着ローラ21は表面がＰＦＡ，ＰＴＦＥ等の耐熱離型材によってコーティングされており、内部にハロゲンヒータ又は赤外線ヒータ等からなる熱源22が設けられている。そして定着ローラ21は熱源22によって加熱され、定着ローラ21の温度は温度検知手段23によって検知され、定着ローラ21の温度が一定温度となるように熱源22が制御される。
【００１６】
この実施形態において、24は加圧ローラを示し、この加圧ローラ24の表面は、シリコンゴムからなる耐熱性ゴムによって構成され、その支持軸28は軸受25を介して側板33に設けられた縦向きの長溝に上下動可能に支持されている。そして軸受25はその基端を側板33に枢軸27によって揺動可能に支持された加圧レバー26に支承されている。この加圧レバー26の自由端はばね31の下端に係止され、このばね31の上端は側板33に取付けられた支持ピン29に長孔30が摺動可能に嵌合している上下動部材32に係止されている。側板33には回動軸34が回転可能に支持され、その先端には図示しない駆動歯車に噛合する歯車35が、またその後方にはカム36が取付けられている。上下動部材32には図示しない縦向きの長孔があって、この長孔に回動軸34が摺動可能に嵌合しており、頂部には張出部37があってばね31の張力によって常時カム36に当接している。
【００１７】
前記駆動歯車の作動によって、回動軸34が回動するとカム36も回動変位して図３，４に示すように、カム36の低部に当接する下位の第１加圧位置（低圧モード）と、高部に当接する上位の第２加圧位置（高圧モード）との間を移動する。そして第１加圧位置にあっては、ばね31による加圧レバー26の引張力が小さいため、定着ローラ21と加圧ローラ24とのニップ幅が小さい低圧モードとなり、第２加圧位置にあっては、ばね31による加圧レバー26の引張力が大きいため、定着ローラ21と加圧ローラ24とのニップ幅が大きい高圧モードとなる。
【００１８】
前記のようなものにおいて、この発明の第１実施形態における定着作動は、図５，６，７，８に示すように、図示を省略した電源の投入後、熱源22によって定着ローラ21が加熱され、温度検知手段23によって検出された温度が定着可能温度に到達したところで開始される。この作動開始後図５に示すように、転写紙の連続通紙中に熱源22を一定時間（Δｔ＝ｔ2−ｔ1）オフする。この間熱源22による熱の供給がなくなるため、定着ローラ21の蓄熱だけで転写紙に熱を供給することとなる。したがって定着ローラ21と加圧ローラ24とで転写紙を挾持するニップ部の幅の差すなわち加圧力の差によって、定着ローラ21の温度低下（ΔＴ＝Ｔ2− Ｔ1）が異なってくる。
【００１９】
このような際に図示を省略した制御手段に、まず低圧モードのときのニップ幅ＸLと、高圧モードのときのニップ幅ＸHとの中間のニップ幅ＸM＝（ＸL＋ＸH）/２における一定時間Δｔの温度低下ΔＴMによる温度変化（温度勾配：ＡM＝ΔＴM/Δｔ）を設定し、実通紙時の温度勾配ＡがＡ＜ＡMならば、低圧モードと判断 し、Ａ≧ＡMならば高圧モードと判断して、制御手段が転写紙に与える熱量が最 適量となるように熱源22による供給熱量を調整する。
【００２０】
つぎにこの発明の第２実施形態における定着作動は、図９，10，11に示すように、前記と同様にして熱源22をオフして一定時間Δｔ後の中間のニップ幅ＸMの 温度ＴMを設定し、実通紙時の温度ＴがＴ＞ＴMならば、低圧モードと判断し、Ｔ≦ＴMならば高圧モードと判断して、制御手段が転写紙に与える熱量が最適量と なるように熱源22による供給熱量を調整する。
【００２１】
つぎにこの発明の第３実施形態における定着作動は、図12，13，14に示すように、定着ローラ21と加圧ローラ24とのニップ部の幅を一定とし、普通紙（坪量約70ｇ/ｍ2）における一定時間Δｔの温度低下ΔＴNによる温度変化（温度勾配： ＡN＝ΔＴN/Δｔ）を設定し、実通紙時の温度勾配ＡがＡ＜ＡNならば、通紙されている転写紙を薄紙と判断し、Ａ≧ＡNならば転写紙を厚紙と判断して、制御手 段が転写紙に与える熱量が最適量となるように熱源22による供給熱量を調整する。
【００２２】
つぎにこの発明の第４実施形態における定着作動は、図15，16，17に示すように、前記と同様にして熱源22をオフして一定時間Δｔ後の普通紙（坪量約70ｇ/ ｍ2）温度Ｔnを設定し、実通紙時の温度ＴがＴ＞ＴNならば、通紙されている転 写紙を薄紙と判断し、Ｔ≦ＴNならば転写紙を厚紙と判断して、制御手段が転写 紙に与える熱量が最適量となるように熱源22による供給熱量を調整する。
【００２３】
つぎにこの発明の第５実施形態における定着作動は、図18，19，20に示すように、前記と同様にして給紙された第１枚目の転写紙の先端を、定着ローラ21と加圧ローラ24とのニップ部より距離Ｌだけ上流に設けた先端検知部材40で検知し、この検知された先端が前記ニップ部に到達する時間は、搬送速度により到達時間ｔLとなる。そこで図19に示すように先端検知部材40が先端を検知してから、先 端がニップ部に到達する時間ｔL経過後に、熱源22を一定時間（Δｔ＝ｔ2−ｔ1）オフする。この間熱源22による熱の供給がなくなるため、定着ローラ21の蓄熱だけで転写紙に熱を供給することとなる。
【００２４】
したがって定着ローラ21と加圧ローラ24とで転写紙10を挾持するニップ部の幅の差すなわち加圧力の差によって、定着ローラ21の温度低下（ΔＴ＝Ｔ2−Ｔ1）が異なってくる。そして第１実施形態と同様に図６，７，８に示すように、まず低圧モードのときのニップ幅ＸLと、高圧モードのときのニップ幅ＸHとの中間のニップ幅ＸM＝（ＸL＋ＸH）/２における一定時間Δｔの温度低下ΔＴMによる温 度変化（温度勾配：ＡM＝ΔＴM/Δｔ）を設定し、実通紙時の温度勾配ＡがＡ＜ ＡMならば、低圧モードと判断し、Ａ≧ＡMならば高圧モードと判断して、制御手段が転写紙に与える熱量が最適量となるように熱源22による供給熱量を調整する。
【００２５】
さらにこの発明の第６実施形態における定着作動は、図21，22に示すように転写紙10の連続通紙中に、一定時間Δｔ′の間に変化した定着ローラ21の温度の絶対値ΔＴ′が許容変化温度ΔＴAより小さい（ΔＴ′＜ΔＴA）のときに、熱源22を一定時間（Δｔ＝ｔ2−ｔ1）オフする。この間熱源22による熱の供給がなくなるため、定着ローラ21の蓄熱だけで転写紙に熱を供給することとなる。
【００２６】
したがって定着ローラ21と加圧ローラ24とで転写紙を挾持するニップ部の幅の差すなわち加圧力の差によって、定着ローラ21の温度低下（ΔＴ＝Ｔ2−Ｔ1）が異なってくる。そして第１実施形態と同様に図６，７，８に示すように、まず低圧モードのときのニップ幅ＸLと、高圧モードのときのニップ幅ＸHとの中間のニップ幅ＸM＝（ＸL＋ＸH）/２における一定時間Δｔの温度低下ΔＴMによる温度 変化（温度勾配：ＡM＝ΔＴM/Δｔ）を設定し、実通紙時の温度勾配ＡがＡ＜ＡMならば、低圧モードと判断し、Ａ≧ＡMならば高圧モードと判断して、制御手段 が転写紙に与える熱量が最適量となるように熱源22による供給熱量を調整する。
【００２７】
【発明の効果】
この発明は上記のようであって、熱源を有する定着ローラと、定着ローラに押圧される加圧ローラとを有し、加圧ローラの加圧力が複数種類に切り換えられ、定着ローラの表面温度を検知する温度検知部材を有する定着装置において、請求項１に記載の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、転写紙の連続通紙中に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたので、定着ローラと加圧ローラとのニップ部の幅の相違及び転写紙の種類の相違に的確に対応して、転写紙に与える熱量を最適な量とすることができ、定着品質を向上することができるという効果がある。
【００２８】
同じく請求項２の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、第１枚目の転写紙が定着装置を通過する間に前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたので、定着ローラと加圧ローラとのニップ部の幅の相違及び転写紙の種類の相違に的確に対応して、転写紙に与える熱量を短時間で最適な量とすることができ、定着品質を効率よく向上することができるという効果がある。
【００２９】
同じく請求項３の発明は、定着ローラと加圧ローラとのニップ幅が小さい低圧モードと、定着ローラと加圧ローラとのニップ幅が大きい高圧モードとが設定され、かつ低圧モードのときのニップ幅ＸＬと高圧モードのときのニップ幅ＸＨとの中間のニップ幅ＸＭ（ＸＭ＝（ＸＬ＋ＸＨ）/２）における一定時間Δｔの温度低下ΔＴＭによる温度勾配ＡＭ（ＡＭ＝ΔＴＭ/Δｔ）が設定されており、定着ローラの温度が安定した状態で、前記熱源を一定時間オフし、その間の前記温度検知部材の検知による定着ローラの表面温度の温度変化に基づき実通紙時の温度勾配Ａを算出し、この温度勾配ＡがＡ＜ＡＭならば、低圧モードと判断し、Ａ≧ＡＭならば高圧モードと判断して、転写紙に与える熱量が最適量となるように前記熱源による供給熱量を調整するように制御する制御手段を設けたので、定着ローラと加圧ローラとのニップ部の幅の相違及び転写紙の種類の相違に的確に対応して、安定して転写紙に与える熱量を最適な量とすることができ、定着品質の向上を安定して実現することができるという効果がある。
【図面の簡単な説明】
【図１】この発明が設けられる典型的な画像形成装置の概略正面図である。
【図２】この発明の要部の斜面図である。
【図３】同上の加圧ローラの加圧力切換部材の低圧モード時の状態図である。
【図４】同部材の高圧モード時の状態図である。
【図５】この発明の第１実施形態の初期の作動タイムチャートである。
【図６】同上の作動タイムチャートである。
【図７】同上の通紙サイズと中間ニップ幅との相関図である。
【図８】同上のフローチャートである。
【図９】この発明の第２実施形態の作動タイムチャートである。
【図１０】同上の通紙サイズと中間ニップ幅との相関図である。
【図１１】同上のフローチャートである。
【図１２】この発明の第３実施形態の作動タイムチャートである。
【図１３】同上の通紙サイズと中間ニップ幅との相関図である。
【図１４】同上のフローチャートである。
【図１５】この発明の第４実施形態の作動タイムチャートである。
【図１６】同上の通紙サイズと中間ニップ幅との相関図である。
【図１７】同上のフローチャートである。
【図１８】この発明の第５実施形態の概略構成図である。
【図１９】同上のタイムチャートである。
【図２０】同上のフローチャートである。
【図２１】この発明の第６実施形態のタイムチャートである。
【図２２】同上のフローチャートである。
【符号の説明】
１  第１帯電器                  ２  感光体
３  第１画像露光                ４  第１現像器
５  第２現像器                  ６  第２画像露光
７  バイアスローラ              ８  電圧印加手段
９  転写ベルト                  10  転写紙
11  ソレノイド                  12  ばね
13  第２帯電器                  21  定着ローラ
22  熱源                        23  温度検知手段
24  加圧ローラ                  25  軸受
26  加圧レバー                  27  枢軸
28  支持軸                      29  支持ピン
30  長孔                        31  ばね
32  上下動部材                  33  側板
34  回動軸                      35  歯車
36  カム                        37  張出部
40  先端検知部材
【図１】
0003857394.tif 000002
【図２】
0003857394.tif 000003
【図３】
0003857394.tif 000004
【図４】
0003857394.tif 000005
【図５】
0003857394.tif 000006
【図６】
0003857394.tif 000007
【図７】
0003857394.tif 000008
【図８】
0003857394.tif 000009
【図９】
0003857394.tif 000010
【図１０】
0003857394.tif 000011
【図１１】
0003857394.tif 000012
【図１２】
0003857394.tif 000013
【図１３】
0003857394.tif 000014
【図１４】
0003857394.tif 000015
【図１５】
0003857394.tif 000016
【図１６】
0003857394.tif 000017
【図１７】
0003857394.tif 000018
【図１８】
0003857394.tif 000019
【図１９】
0003857394.tif 000020
【図２０】
0003857394.tif 000021
【図２１】
0003857394.tif 000022
【図２２】
0003857394.tif 000023